(57)【要約】【課題】  本体に埋め込まれた芯材に取り付けられたフックに魚が食い付いても本体が捩れ難く、かつ、本体が裂け難いルアーを提供する。【解決手段】  本体に対してフックを取り付けるための芯材が該本体の内部に一部又は全部を埋め込んだ状態で固定されているソフトルアーにおいて、芯体を複数の環状部材を鎖状に連結することにより、成形時に鎖状の芯材の隙間に本体を構成する軟質素材が入り込んで芯材が本体に対して強固に定着され、芯材に取り付けられるフックに魚が食い付いた際に、芯材に対して強い力が加えられても本体が裂け難くなる。【選択図】  図１
2008118898.tif 000002
【特許請求の範囲】
【請求項１】
本体に対してフックを取り付けるための芯材が該本体の内部に一部又は全部を埋め込んだ状態で固定されているソフトルアーであって、芯材が複数の環状部材を鎖状に連結してなることを特徴とするソフトルアー。
【請求項２】
芯材が複数の環状部材とフックを取り付けるための連結部材とからなり、各部材が連なっている請求項１記載のソフトルアー。
【請求項３】
連結部材が環状部材に挟まれた状態で連なっている請求項２記載のソフトルアー。
【請求項４】
芯材の前端部が本体の前部から外方へ突出している請求項１乃至３のいずれかに記載のソフトルアー。
【請求項５】
芯材の後端部が本体の後部から外方へ突出している請求項１乃至４のいずれかに記載のソフトルアー。
【請求項６】
芯材に錘が固着されている請求項１乃至５のいずれかに記載のソフトルアー。
【発明の詳細な説明】
【技術分野】
【０００１】
本発明は、ソフトルアーに関するものである。
【背景技術】
【０００２】
周知の通り、ブラックバスなどの魚を対象としたフィッシングにおいて用いられるルアーには、本体が軟質部材によって形成されたルアー（以下、「ソフトルアー」という。）、例えば、ワームやスイムベイト等があり、当該ソフトルアーは、本体が硬質部材によって形成されたルアー（以下、「ハードルアー」という。）よりも生物的な動きを再現し易く、安定した釣果が期待できるため、多くの釣り人に愛用されている。
【０００３】
ところが、ソフトルアーは、ハードルアーに比べて本体の強度が弱いため、図１２に示すように、フック１００（釣り針）を取り付ける位置が本体１０１の前部に限られている。これは、ソフトルアー本体の強度が弱いため、ライン（釣り糸）を結び付けるアイとフックとを本体に対して別々に取り付けることができないからである。このため、本体の後部に食い付いた魚がフックに引っ掛からずに、釣り損なってしまうことが多々あった。
【０００４】
そこで、従来から本体の後部にフックを取り付けることができるソフトルアーの開発が多数行われている。
【０００５】
例えば、後出特許文献１には、ソフトルアー（ワーム、ソフトベイト）の成型時に糸状の接続部材を同時成型することで柔軟性を極力損なう事無く、ソフトルアーに対し、ライン（釣糸）とフック（釣針）の接続位置を自在に調節することを可能としたソフトルアーが開示されている。
【０００６】
また、後出特許文献２には、細長いルアー本体と、該ルアー本体を軸方向に貫通するワイヤ部材と、該ワイヤー部材の一端の前記ルアー本体の突出端に設けられた釣針連結部と、前記ワイヤー部材の他端の前記ルアー本体の突出端に設けられた釣糸連結部とからなるルアーにおいて、前記ルアー本体が内部を貫通するワイヤー部材にて複数のルアー本体を連結することによって形成されているルアーが開示されている。
【０００７】
さらに、後出特許文献３には、小魚、虫、甲殻類等の生き餌形状に成形された弾性材料かなるほぼ中実の本体と、本体に埋め込まれ交差する二面を有するとともに、その交差位置付近に釣り糸、両端に釣り針を各々連結しうる連結部が設けられた連結プレートとを備えており、連結プレートと共に魚の背骨形状の連結具が本体に埋め込まれているルアーが開示されている。
【特許文献１】特開２００３−７０３８２
【特許文献１】特開２００３−２８９７６０
【特許文献１】特開２００４−８１０１７
【発明の開示】
【発明が解決しようとする課題】
【０００８】
しかし、前記特許文献１及び２に開示されたルアーにおいては、軟質部材からなる本体に埋め込まれた接続部材（ワイヤー部材）が細幅状のものであるため、本体の後部に取り付けられたフックに魚が食い付いた際に、魚が逃げようとする動きに伴ってフックに連結された接続部材に対していずれかの方向に強い力が加わると、接続部材が本体を裂いて外部に飛び出てしまい再度使用することができなくなるという問題点があった。
【０００９】
一方、前記特許文献３に開示されたルアーにおいては、軟質部材からなる本体に埋め込まれた連結プレートや連結具が広幅状のものであるため、本体の後部に取り付けられたフックに魚が食い付いた際に、魚が逃げようとする動きに伴ってフックに連結された連結プレート等の広幅面に対して垂直な方向に加わる力には強いが、連結プレート等の広幅面に対して水平な方向に加わる力には弱く、連結プレート等の広幅面に対して水平な方向に強い力が加わると、連結プレート等が本体を裂いて外部に飛び出てしまい再度使用することができなくなるという問題点があった。
【００１０】
さらに、前記特許文献１乃至３に開示されたルアーにおいては、本体と接続部材や連結プレート等との接着力が弱いため、接続部材や連結プレート等が本体から遊離してしまう可能性が高く、その遊離した箇所から本体が裂け易くなっていた。
【００１１】
本発明は、本体に埋め込まれた芯材に取り付けられたフックに魚が食い付いても本体が裂け難いソフトルアーを得ることを技術的課題として、その具現化をはかるべく、試作・実験を繰り返した結果、本体に対してフックを取り付けるための芯材が該本体の内部に一部又は全部を埋め込んだ状態で固定されているソフトルアーにおいて、芯材を複数の環状部材を鎖状に連結したものにすれば、フックに魚が食い付いても本体が裂け難いという刮目すべき知見を得、前記技術的課題を達成したものである。
【課題を解決するための手段】
【００１２】
前記技術的課題は、次の通りの本発明によって解決できる。
【００１３】
即ち、本発明に係るソフトルアーは、本体に対してフックを取り付けるための芯材が該本体の内部に一部又は全部を埋め込んだ状態で固定されているソフトルアーであって、芯材が複数の環状部材を鎖状に連結してなるものである。
【００１４】
また、本発明は、前記ソフトルアーにおいて、芯材が複数の環状部材とフックを取り付けるための連結部材とからなり、各部材が連なっているものである。
ものである。
【００１５】
また、本発明は、前記ソフトルアーにおいて、連結部材が環状部材に挟まれた状態で連なっているものである。
【００１６】
また、本発明は、前記いずれかのソフトルアーにおいて、芯材の前端部が本体の前部から外方へ突出しているものである。
【００１７】
また、本発明は、前記いずれかのソフトルアーにおいて、芯材の後端部が本体の後部から外方へ突出しているものである。
【００１８】
また、本発明は、前記いずれかのソフトルアーにおいて芯材に錘が固着されているものである。さらに、本発明に係る他の実施の形態は、成形時に芯材の鎖状に連結された各環状部材によって形成される隙間に本体を構成する軟質素材が入り込んだものである。
【発明の効果】
【００１９】
本発明によれば、本体の内部に埋め込む芯材として複数の環状部材を鎖状に連結したものを採用したので、魚が食い付いた際に、魚が逃げようとする動きに伴ってフックの取り付けられた芯材に強い力が働いたとしても、本体が芯材に追従して動いて裂け難くなる。これは、芯材を鎖状にすることにより、芯材に複雑に絡み合った隙間が形成され、成形時に軟質部材が隙間に入り込むことで、芯材と本体と一体的に連結されて芯材と本体とが遊離し難くなるからである。さらに、環状部材を鎖状に連結した芯材は、一定以上に捩れると隣り合う環状部材が干渉し合ってそれ以上の捩れが規制されるため、フックに掛かった魚が暴れても、ソフトルアーが一定以上捩れなくなり、破損し難くなる。
【００２０】
従って、本発明の産業上利用性は非常に高いといえる。
【発明を実施するための最良の形態】
【００２１】
以下、本発明の実施の形態を図面に基づき説明する。
【００２２】
実施の形態１．
【００２３】
図１は本実施の形態に係るソフトルアーの内部構造を示した側面図である。図２は図１に示すソフトルアーの内部構造を示した平面図である。図３は金型に芯材を固定した状態を示した斜視図である。図４は図１に示すソフトルアーの芯材に錘を固着させた状態を示す側面図である。これらの図において、１は、本体２と、本体２の内部に一部が埋め込まれる芯材３と、芯材３に取り付けられるフック４とからなるソフトルアーである。
【００２４】
本体２は、小魚の形状に形成されているが、これに限定されず、フィッシングの対象となる魚が好む形状に形成すればよく、例えば、昆虫、甲殻類などの形状に形成してもよい。なお、本体２は軟質素材によって形成すればよく、当該軟質素材としては、熱可塑性樹脂などのエラストマーを使用すればよく、また、生分解性樹脂を使用してもよい。なお、熱可塑性樹脂としては、塩化ビニルなどがある。
【００２５】
芯材３は、複数の円形の環状部材５を鎖状に連結してなるものである。芯材３は、本体２の前端部から中間部後寄りの位置まで腹側に沿って伸びており、芯材３の前端に位置する環状部材５が本体２の前端部から外方へ突出している。そして、本体２の前端部から外方へ突出した環状部材５はライン用のアイとして使用される。なお、芯材３はフックに食い付いた魚が暴れても切れない強度を有する素材によって形成すればよく、当該素材としては、ステンレス、アルミニウム、鉛などの金属やＡＢＳ樹脂などの樹脂等の可変性を有しない素材を使用すればよく、また、復元性のあるものであれば可変性を有する素材を使用してもよい。
【００２６】
フック４は、アイ部６と該アイ部６から伸びる三ツ股状の針部７とから構成されている。そして、フック４は、芯材３の中間部前寄り及び後端に位置する環状部材５に介して連結されたフック用アイ８（連結部材）を介して間接的に芯材３に取り付けられている。フック用アイ８は、二つの環状部材５を連結した構成となっており、本体２の内部に位置する芯材３から本体２の腹側へ突出するように伸びている。従って、フック用アイ８に取り付けられたフック４は、本体２の外部に位置付けられる。
【００２７】
次に、本実施の形態に係るソフトルアーの形成方法を説明する。
【００２８】
先ず、本体２の形状に合わせた小魚状の凹部９を有する二分割された金型１０，１０の一方の金型１０にフック用アイ８の取り付けられた前記芯材３を固定する。なお、金型１０には、凹部９に加えて芯材３の前端に位置する環状部材５及び芯材３に連結されたフック用アイ８を固定するためのピン状の固定部１１，１２，１３が形成されていると共に、両金型を合わせた際に前記軟質素材を注入するための通路となる溝部１４が凹部９から金型１０の縁まで伸びている。そして、金型１０に芯材３を固定する際には、芯材３の前端に位置する環状部材５及びフック用アイ８をそれぞれ固定部１１，１２，１３に固定すると共に、芯材３が凹部９の所定位置に位置付けられるようにワイヤー１５によって引っ張って固定する。そして、他方の金型１０を一方の金型１０に合わせた後、溝部１４が合わさって形成された通路から凹部９内へ軟質素材を注入する。最後に、硬化した軟質素材を金型１０から取り出し、成形された本体２からバリを取り除くと共に、ワイヤー１５を取り外し、フック用アイ８にフック４を取り付けることによってソフトルアー１を形成することができる。
【００２９】
なお、金型に芯材３を固定する手段は、芯材３を凹部９の所定位置に固定できる手段であればよく、前記の手段に限定されるものではない。
【００３０】
また、図４に示すように、芯材３の一部に鉛などの錘１６を固着させることでソフトルアー１全体の重量バランスを調整することもできる。
【００３１】
また、フック４としては、三ツ股状のものに限定されず、二股状のものを使用してもよい。
【００３２】
実施の形態２．
【００３３】
図５は本実施の形態に係るソフトルアーの内部構造を示した側面図である。図６はソフトルアーの本体から複数の環状部材が突出している状態を示した側面図である。この図において、図１及び２と同一符号は同一又は相当部分を示している。
【００３４】
本実施の形態に係るソフトルアー１の芯材３は、本体２の前端部から中間部後寄りの位置まで腹側に沿って伸びている。そして、芯材３の前端に位置する環状部材５が本体２の前端部から外方へ突出しており、また、芯材３の略中間に位置する一つの環状部材５と後端に位置する環状部材５とがそれぞれの環状部材５の下部を本体２の腹部から外方へ突出させている。これにより、本体２の腹部と各環状部材５の下部とによって通孔が形成される。そして、本体２の腹部から突出した各環状部材５には、それぞれフック４が取り付けられる。従って、フック４は直接的に芯材３に連結される。
【００３５】
なお、本実施の形態においては、芯材３を構成する環状部材５の内で二つの環状部材５のみを本体２の腹部から外方へ突出させているが、図６に示すように、二つ以上の環状部材５を本体２の腹部から外方へ突出させてもよい。この場合には、本体２の腹部から突出した複数の環状部材５からフック４を取り付ける環状部材５を自由に選択することができるため、本体２に対するフック４の取り付け位置を適宜変更するこができる。
【００３６】
実施の形態３．
【００３７】
図７は本実施の形態に係るソフトルアーの内部構造を示した側面図である。この図において、図１及び２と同一符号は同一又は相当部分を示している。
【００３８】
本実施の形態に係るソフトルアー１の芯材３は、本体２の前端から後端まで達する長さを有している。そして、芯材３の前端に位置する環状部材５が本体２の前端部から外方へ突出している。また、芯材３の略中間に間を隔てて位置する二つの環状部材５にはフック４を取り付けるためのフック用アイ８が連結されており、当該二つフック用アイ８が本体２の腹部から外方へ突出している。さらに、芯材３の後端に位置する環状部材５が本体２の後端部から外方へ突出している。フック用アイ８は、四つの環状部材５を連結した構成となっており、それぞれフック４が取り付けられている。また、本体２の後端部から外方へ突出した環状部材５には、魚の注意を引き付けるためのブレード１７がサルカン１８を介して取り付けられている。
【００３９】
本実施の形態に係るソフトルアー１を形成する場合には、本体２に対して芯材３が直線状に埋め込まれるため、芯材３を金型１０に固定する際に、芯材３を張った状態で両端を固定するだけでよく、ワイヤー１５を必要としないため、製造効率が向上する。
【００４０】
なお、本体２の後端部から外方へ突出した環状部材５には、ブレード１７の代わりにフック４を取り付けてもよく、この場合には、当該フック４の存在によってソフトルアー１の後部に食い付いた魚をより確実に引っ掛けることができる。
【００４１】
実施の形態４．
【００４２】
本実施の形態は前記各実施の形態における芯材に対するフックの連結手段の変形例である。図８は本実施の形態における変形例の内部構造を示した側面図である。図９は本実施の形態における他の変形例の内部構造を示した側面図である。図１０は本実施の形態における他の変形例の内部構造を示した側面図である。これらの図において、図１及び２と同一符号は同一又は相当部分を示している。
【００４３】
変形例１：芯材３は、図８に示すように、複数の環状部材５と二つの連結部材１９とから構成されている。連結部材１９は、Ｔ字状の薄板からなっており、三つの端部にはフック４のアイ部６又は環状部材５が連結される開口２０が形成されている。そして、芯材３は、本体２の略中間を挟んで前後に位置付けられた連結部材１９を鎖状に連結した複数の環状部材５によって繋いでいると共に、本体２の前側に位置する連結部材１９から前方へ鎖状に連結した複数の環状部材５が伸びており、また、本体の後側に位置する連結部材１９から後方へ鎖状に連結した複数の環状部材５が伸びている。従って、連結部材１９はそれぞれ芯材３の前端部及び後端部を残した中間部に設けられている。
【００４４】
変形例２：芯材３は、図９に示すように、複数の環状部材５と二つの連結部材１９からなっている。連結部材１９は、環状部材５が連結できるように両端をリング状に形成してなるワイヤー２１に対して鎖状に連結された二つの環状部材５における一方の環状部材５を通した構成になっている。そして、芯材３は、本体２の略中間を挟んで前後に位置する連結部材１９のワイヤー２１を鎖状に連結した複数の環状部材５によって繋いでいると共に、本体２の前側に位置する連結部材１９のワイヤー２１から前方へ鎖状に連結した複数の環状部材５が伸びており、また、本体の後側に位置する連結部材１９から後方へ鎖状に連結した複数の環状部材５が伸びている。
【００４５】
変形例３：芯材３は、図１０に示すように、複数の円形の環状部材５と二つのＴ字状の環状部材２２とからなっている。そして、芯材３は、フック４が取り付けられる場所にＴ字状の環状部材を配置した状態で各環状部材５，２２を鎖状に連結して形成されている。
【００４６】
なお、変形例３においては、二種類の環状部材５，２２を連結することによって芯材３を形成しているが、二種類以上の環状部材を連結して芯材３を形成してもよい。
【００４７】
また、芯材を構成する環状部材の形状は前記各実施の形態におけるものに限定されず、例えば、図１１に示すような、平面視楕円形の環状部材を側面視U字状に湾曲させた環状部材を鎖状に連結させたものであってもよく、他の形状の環状部材を鎖状に連結させたものであってもよい。
【００４８】
また、前記各実施の形態においては、少なくとも芯材の前端に位置する環状部材を本体の前端部から外方へ突出させているが、芯材の全部を本体の内部に埋め込んだ物であってもよい。この場合には、ラインを結び付けるための部材を別途芯材に取り付ける必要がある。
【図面の簡単な説明】
【００４９】
【図１】実施の形態１に係るソフトルアーの内部構造を示した側面図である。
【図２】図１に示すソフトルアーを示した平面図である。
【図３】金型に芯材を固定した状態を示した斜視図である。
【図４】図１に示すソフトルアーの芯材に錘を固着した状態を示した側面図である。
【図５】実施の形態２に係るソフトルアーの内部構造を示した側面図である。
【図６】実施の形態２に係るソフトルアーの内部構造を示した側面図である。
【図７】実施の形態３に係るソフトルアーの内部構造を示した側面図である。
【図８】実施の形態４における変形例の内部構造を示した側面図である。
【図９】実施の形態４における他の変形例の内部構造を示した側面図である。
【図１０】実施の形態４における他の変形例の内部構造を示した側面図である。
【図１１】鎖の変形例を示した斜視図である。
【図１２】従来のソフトルアーの内部構造を示した側面図である。
【符号の説明】
【００５０】
１  ソフトルアー
２  本体
３  芯材
４  フック
５，２２  環状部材
６  アイ部
７  針部
８  フック用アイ
９  凹部
１０  金型
１１，１２，１３  固定部
１４  溝部
１５  ワイヤー
１６  錘
１７  ブレード
１８  サルカン
１９  連結部材
２０  開口
２１  ワイヤー
【図１】
2008118898.tif 000003
【図２】
2008118898.tif 000004
【図３】
2008118898.tif 000005
【図４】
2008118898.tif 000006
【図５】
2008118898.tif 000007
【図６】
2008118898.tif 000008
【図７】
2008118898.tif 000009
【図８】
2008118898.tif 000010
【図９】
2008118898.tif 000011
【図１０】
2008118898.tif 000012
【図１１】
2008118898.tif 000013
【図１２】
2008118898.tif 000014